(57)【要約】【課題】基本的に誰でも自由に着席できる座席の指定（確保）を可能にすることを目的とする。【解決手段】記録担体４より、情報の読み出しを行う読み出し装置１２と、対応する座席が利用可能か否かを表示する表示装置１３と、表示装置１３の表示を制御する制御装置１０と、を有し、制御装置１０は、読み出し装置１２が記録担体４より読み取った記録担体２を識別する識別情報と、表示装置１３に対応する座席の指定席券の販売情報に含まれる、記録担体４を識別する識別情報と、に基づいて、有効な座席利用者か否かを判定し、判定結果に応じて、表示装置１３の表示を制御することによって課題を解決する。【選択図】図１
2008210260.tif 000002
【特許請求の範囲】
【請求項１】
記録担体より、情報の読み出しを行う読み出し装置と、
対応する座席が利用可能か否かを表示する表示装置と、
前記表示装置の表示を制御する制御装置と、
を有し、
前記制御装置は、前記読み出し装置が前記記録担体より読み取った前記記録担体を識別する識別情報と、前記表示装置に対応する座席の指定席券の販売情報に含まれる記録担体を識別する識別情報と、に基づいて、有効な座席利用者か否かを判定し、判定結果に応じて、前記表示装置の表示を制御することを特徴とする座席システム。
【請求項２】
前記制御装置は、初期状態として、管理対象の前記表示装置の表示を、対応する座席が利用可能であることを示す表示とするよう制御することを特徴とする請求項１に記載の座席システム。
【請求項３】
前記制御装置は、管理対象の前記表示装置の内、対応する座席の指定席券の販売情報を受け取った前記表示装置の表示を、指定席券を購入していない人は利用不可能であることを示す表示とするよう制御することを特徴とする請求項２に記載の座席システム。
【請求項４】
前記制御装置は、前記読み出し装置が前記記録担体より読み取った前記記録担体を識別する識別情報と、前記販売情報に含まれる記録担体を識別する識別情報と、に基づいて、有効な座席利用者か否かを判定し、有効な座席利用者であると判定すると、前記表示装置の表示を、対応する座席が利用可能であることを示す表示とするよう制御することを特徴とする請求項３に記載の座席システム。
【請求項５】
初期状態として、管理対象の表示装置の表示を、対応する座席が利用可能であることを示す表示とするよう制御し、
管理対象の前記表示装置の内、対応する座席の指定席券の販売情報を受け取った前記表示装置の表示を、指定席券を購入していない人は利用不可能であることを示す表示とするよう制御し、
読み出し装置が記録担体より読み取った前記記録担体を識別する識別情報と、前記販売情報に含まれる記録担体を識別する識別情報と、に基づいて、有効な座席利用者か否かを判定し、有効な座席利用者であると判定すると、前記表示装置の表示を、対応する座席が利用可能であることを示す表示とするよう制御することを特徴とする制御装置。
【請求項６】
制御装置における表示制御方法であって、
初期状態として、管理対象の表示装置の表示を、対応する座席が利用可能であることを示す表示とするよう制御するステップと、
管理対象の前記表示装置の内、対応する座席の指定席券の販売情報を受け取った前記表示装置の表示を、指定席券を購入していない人は利用不可能であることを示す表示とするよう制御するステップと、
読み出し装置が記録担体より読み取った前記記録担体を識別する識別情報と、前記販売情報に含まれる記録担体を識別する識別情報と、に基づいて、有効な座席利用者か否かを判定し、有効な座席利用者であると判定すると、前記表示装置の表示を、対応する座席が利用可能であることを示す表示とするよう制御するステップと、
を有することを特徴とする表示制御方法。
【発明の詳細な説明】
【技術分野】
【０００１】
本発明は、座席システム、制御装置及び表示制御方法に関する。
【背景技術】
【０００２】
特急列車の中には単に停車する駅が普通列車に比べて少ないものがある。このような特急列車は、一般的に特急料金を払わなくても乗車可能なため、多くの通勤客等に利用されている。
【０００３】
【特許文献１】特開２００６−２２１２５４号公報
【発明の開示】
【発明が解決しようとする課題】
【０００４】
しかしながら、このような特急列車の中には、例えば観光路線等を走っているものがある。このような特急列車では、通勤客等によって座席が専有されているため、観光のために乗車した観光客が座席に座ることができず、観光客に敬遠される可能性があった。
【０００５】
本発明はこのような問題点に鑑みなされたもので、基本的に誰でも自由に着席できる座席の指定（確保）を可能にすることを目的とする。
【課題を解決するための手段】
【０００６】
そこで、本発明の座席システムは、記録担体より、情報の読み出しを行う読み出し装置と、対応する座席が利用可能か否かを表示する表示装置と、前記表示装置の表示を制御する制御装置と、を有し、前記制御装置は、前記読み出し装置が前記記録担体より読み取った前記記録担体を識別する識別情報と、前記表示装置に対応する座席の指定席券の販売情報に含まれる記録担体を識別する識別情報と、に基づいて、有効な座席利用者か否かを判定し、判定結果に応じて、前記表示装置の表示を制御することを特徴とする。
【０００７】
係る構成とすることにより、制御装置は、読み出し装置が読み取った記録担体を識別する識別情報と、指定席券の販売情報に含まれる記録担体を識別する識別情報と、に基づいて、表示装置に対応する座席が利用可能な否か示すように、表示装置の表示を制御するので、基本的に誰でも自由に着席できる座席の指定（確保）を可能にすることができる。
【０００８】
なお、記録担体とは、例えば、後述するＩＣカード、又はＩＣカードの機能を有する携帯電話装置等に対応する。また、読み出し装置とは、例えば、後述するＲ／Ｗ等に対応する。
【０００９】
また、本発明の制御装置は、初期状態として、管理対象の表示装置の表示を、対応する座席が利用可能であることを示す表示とするよう制御し、管理対象の前記表示装置の内、対応する座席の指定席券の販売情報を受け取った前記表示装置の表示を、指定席券を購入していない人は利用不可能であることを示す表示とするよう制御し、読み出し装置が記録担体より読み取った前記記録担体を識別する識別情報と、前記販売情報に含まれる記録担体を識別する識別情報と、に基づいて、有効な座席利用者か否かを判定し、有効な座席利用者であると判定すると、前記表示装置の表示を、対応する座席が利用可能であることを示す表示とするよう制御することを特徴とする。
【００１０】
係る構成とすることにより、制御装置は、初期状態として、管理対象の表示装置の表示を、対応する座席が利用可能であることを示す表示とするよう制御し、管理対象の表示装置の内、対応する座席の指定席券の販売情報を受け取った表示装置の表示を、指定席券を購入していない人は利用不可能であることを示す表示とするよう制御し、読み出し装置が記録担体より読み取った記録担体を識別する識別情報と、販売情報に含まれる記録担体を識別する識別情報と、に基づいて、有効な座席利用者か否かを判定し、有効な座席利用者であると判定すると、表示装置の表示を、対応する座席が利用可能であることを示す表示とするよう制御するので、基本的に（又は初期状態では）誰でも自由に着席できる座席の指定を可能にすることができる。
【００１１】
また、本発明は、制御装置における表示制御方法であって、初期状態として、管理対象の表示装置の表示を、対応する座席が利用可能であることを示す表示とするよう制御するステップと、管理対象の前記表示装置の内、対応する座席の指定席券の販売情報を受け取った前記表示装置の表示を、指定席券を購入していない人は利用不可能であることを示す表示とするよう制御するステップと、読み出し装置が記録担体より読み取った前記記録担体を識別する識別情報と、前記販売情報に含まれる記録担体を識別する識別情報と、に基づいて、有効な座席利用者か否かを判定し、有効な座席利用者であると判定すると、前記表示装置の表示を、対応する座席が利用可能であることを示す表示とするよう制御するステップと、を有することを特徴とする。
【００１２】
係る構成とすることにより、基本的に（又は初期状態では）誰でも自由に着席できる座席の指定を可能にすることができる。
【発明の効果】
【００１３】
本発明によれば、基本的に誰でも自由に着席できる座席の指定（確保）を可能にすることができる。
【発明を実施するための最良の形態】
【００１４】
以下、本発明の実施形態について図面に基づいて説明する。
【００１５】
＜実施形態１＞
図１は、実施形態１に係る座席システムのシステム構成の一例を示す図である。図１に示されるように、座席システムは、地上系システムと、車両システムと、を含む。
【００１６】
地上系システムは、各駅に設定されている複数の券売機３と、特急列車の始発駅等に設定されている情報送信装置１と、を有する。また、車両システムは、該当する車両毎に制御装置１０と、アンテナ１１と、を有すると共に、各車両の座席毎にＲ／Ｗ１２と、表示装置１３と、を有する。
【００１７】
なお、制御装置１０は、ＣＰＵと、ＲＡＭ、ＲＯＭ、ＨＤ等の記憶装置と、Ｒ／Ｗ１２と通信を行うＲ／Ｗ通信装置と、表示装置１３と通信を行う表示通信装置と、から構成される。そして、このＣＰＵが、記憶装置に格納されているプログラムを読み出して実行することによって、本実施形態等で説明する制御装置１０の機能を実現、又は処理を実行する。なお、上述した券売機３や、情報送信装置１、ＰＤＡ２も各装置に応じて必要な構成が付加されたり、削除されたりするが、制御装置１０と同様、ＣＰＵや、記憶装置、通信装置を有する。そして、各装置のＣＰＵが、各装置の記憶装置に格納されているプログラムを読み出して実行することによって、本実施形態等で説明する各装置の機能を実現、又は処理を実行する。
【００１８】
特急列車の指定席券を購入する利用者は、例えばＩＣカード４を券売機３に投入する等して、利用する特急列車の指定席券を購入する。券売機３は、利用者によってＩＣカード４が投入されて、特急列車の指定席券を購入する操作が行われると、ＩＣカード４よりＩＣカード４を識別するＩＣカード識別情報を読み出す。そして、券売機３は、このＩＣカード識別情報と、利用者が購入した指定席券に係る、特急列車を識別する特急列車識別情報（特急列車番号）と、特急列車の車両を識別する車両識別情報（車両番号）と、座席を識別する座席識別情報（座席番号）と、を含む販売情報を、利用者が購入した指定席券に対応する特急列車が出発する始発駅に設置されている情報送信装置１に送信する。
【００１９】
また、券売機３は、利用者によってＩＣカード４が投入されて、特急列車の指定席券を購入する操作が行われると、販売した指定席券に係る、特急列車番号、車両番号、座席番号等の情報をレシートに印字して発行する。
【００２０】
情報送信装置１は、複数の駅の券売機３から送信された販売情報をＨＤ等に保持する。車掌は指定席券の販売を締め切った段階で（例えば、特急列車が出発する５分前等）これから乗車する特急列車に係る販売情報を情報送信装置１からＰＤＡ２に取り込む。
【００２１】
例えばＰＤＡ２は、車掌によってこれから乗車する特急列車の特急列車番号が入力され、販売情報の取得に係る操作が行われると、この特急列車番号を含む、販売情報の取得要求を情報送信装置１に対して送信する。そして、ＰＤＡ２は、この取得要求に応じた、つまり特急列車番号に対応する、販売情報を情報送信装置１から受信する。
【００２２】
ここで、車両システムの制御装置１０は、ＰＤＡ２よりアンテナ１１を介して販売情報を受信するまで（つまり初期状態として）、全ての席の表示装置１３を、誰でも着席可能（利用可能）であることを示す表示とするよう（例えば緑点灯するよう）制御する。図２（ａ）は、全ての席の表示装置１３を緑点灯させている一例を示す図である。
【００２３】
一方、車掌は販売情報を情報送信装置１からＰＤＡ２に取り込み、特急列車に乗車すると、該当する各車両に設置されている制御装置１０に販売情報を送信する。
【００２４】
制御装置１０は、ＰＤＡ２よりアンテナ１１を介して販売情報を受信すると、販売情報に含まれる車両番号に基づいて、まず管理対象の車両に関係する販売情報か否かを判定する。制御装置１０は、管理対象の車両に関係する販売情報であると判定すると、この販売情報に含まれる座席番号に基づいて、この座席番号の座席に対応する表示装置１３を、指定席券を購入した有効な座席利用者以外は（つまり指定席を購入していない人は）着席不可能（利用不可能）であることを示す表示するよう（例えば赤点灯するよう）制御する。図２（ｂ）は、指定席券が発売された座席に対応する表示装置１３を赤点灯させている一例を示す図である。対応する表示装置１３が赤点灯している座席は、座席が確保された状態である。
【００２５】
制御装置１０は、ＰＤＡ２よりアンテナ１１を介して受信した管理対象の車両に関係する販売情報を記憶装置に保持する。
【００２６】
一方、指定席券を購入した利用者は、特急列車番号、車両番号、座席番号等の情報が印字されたレシートにしたがって、この座席番号で識別される座席を利用すべく、座席に関連付けて設置されている（例えば各座席の上等に設置されている）Ｒ／Ｗ１２にＩＣカード４をかざす。Ｒ／Ｗ１２は、ＩＣカード４をかざされると、ＩＣカード４よりＩＣカード４を識別するＩＣカード識別情報を読み出し、制御装置１０に送信する。なお、本実施形態では、上述したように、座席毎にＲ／Ｗ１２と、表示装置１３と、を有するものとする。つまり、本実施形態では、Ｒ／Ｗ１２と、表示装置１３と、座席と、は１対１対１で対応しているものとする。
【００２７】
ここで、制御装置１０は、記憶装置に、Ｒ／Ｗ１２と、表示装置１３と、座席（座席番号）と、を対応付けたテーブルを保持しているものとする。制御装置１０は、Ｒ／Ｗ１２よりＩＣカード識別情報を受信すると、まず、このＲ／Ｗ１２と対応する表示装置１３に対応する座席（座席番号）を含む販売情報が記憶装置に保持されているか否かを判定する。制御装置１０は、前記販売情報が記憶装置に保持されていると判定すると、受信したＩＣカード識別情報と、前記販売情報に含まれるＩＣカード識別情報と、を比較して一致するか否かを判定する。
【００２８】
制御装置１０は、ＩＣカード識別情報が一致していると判定すると、前記テーブルを参照し、座席番号に対応する表示装置１３を着席可能であることを示す表示とするよう（例えば緑点灯するよう）制御する。図２（ｃ）は、利用者によってＲ／Ｗ１２にＩＣカード４がかざされ（タッチされ）、制御装置１０が有効な利用者であると判定し、該当する席の表示装置１３を緑点灯させている一例を示す図である。つまり、表示装置１３が赤点灯から緑点灯に変更され、座席が開放された状態となる。
【００２９】
指定席券を購入した利用者は、Ｒ／Ｗ１２にＩＣカード４をかざした結果、指定席券の座席番号で識別される座席に対応する表示装置１３が赤点灯から緑点灯に変わると、着席する。
【００３０】
なお、車掌は一定時間を過ぎても着席のない、対応する表示装置１３が赤点灯している座席がある場合は、ＰＤＡ２を用いてその座席を開放する操作を行う。ＰＤＡ２は、車掌によって座席番号を入力され、座席を開放する旨の操作が行われると、前記座席番号を含む座席の開放要求を制御装置１０に送信する。制御装置１０は、座席番号を含む座席の開放要求を受け取ると、前記テーブルを参照し、前記座席番号に対応する表示装置１３を着席可能であることを示す表示とするよう（例えば緑点灯するよう）制御する。このことにより、座席は開放され、以後、誰でも着席可能になる。図２（ｄ）は、車掌によって利用のない指定席が開放された一例を示す図である。
【００３１】
以上、上述したように本実施形態によれば、基本的に誰でも自由に着席できる座席の指定（確保）を可能にすることができる。また、本実施形態によれば、ＩＣカード４に指定席券の情報を書き込まなくてもよい。したがって、ＩＣカード４に対する情報の書き込みに伴う、認証や、暗号化、また、書き込んだ情報の読み取りに伴う、認証や、復号化、また、書き込んだ情報の消去等を行う必要が無く、複雑なシステムを構築する必要がない。
【００３２】
また、本実施形態によれば、制御装置１０は、ＩＣカード識別情報の比較を行えばよく、例えば指定席券に係る区間判定等の処理を行う必要がない。つまり、一度開放した指定席を再び確保する（緑点灯にしたものを赤点灯に戻す）等の処理を行う必要はない（よって、指定された座席の確保及び開放を容易に行うことができる）。そのため、この面においても複雑なシステムを構築する必要が無く、制御装置１０（又は制御装置１０のプログラム）等の開発や、保守を簡単（且つ安価）に行うことができる。
【００３３】
＜実施形態２＞
図３は、実施形態２に係る座席システムのシステム構成の一例を示す図である。上述した実施形態１では、図１に示されるように各車両に制御装置１０が設置されていた。しかしながら、図３に示されるように、制御装置２０が複数の車両（又は全車両の）の表示装置１３の表示を制御するようにしてもよい。
【００３４】
このような構成とすることによって、車掌は各車両において制御装置１０に対してＰＤＡ２から販売情報を送信するのではなく、例えば制御装置２０に対して一回だけ販売情報を送信すればよくなり、販売情報の送信にかかる手間を省くことができる。
【００３５】
＜実施形態３＞
図４は、実施形態３に係る座席システムのシステム構成の一例を示す図である。上述した実施形態では図１、又は図３に示されるように、Ｒ／Ｗ１２と、表示装置１３と、が１対１で対応している例を用いて説明を行った。しかしながら、図４に示されるように、Ｒ／Ｗ３０と、表示装置１３と、は１対多であってもよい。なお、本実施形態においても、表示装置１３と、座席と、は１対１に対応するものとする。
【００３６】
＜実施形態４＞
図５は、実施形態４に係る座席システムのシステム構成の一例を示す図である。上述した実施形態では、図１、又は図３、又は図４に示されるように、車掌がＰＤＡ２を操作して、情報送信装置１から販売情報を受け取り、この販売情報を車両に乗車した際、制御装置に送信した例を用いて説明を行った。しかしながら、図５に示されるように、情報送信装置４０が、例えば車掌等の操作に応じて、アンテナ１１を介して無線で制御装置１０に販売情報を送信するようにしてもよい。
【００３７】
以上、上述した各実施形態によれば、基本的に誰でも自由に着席できる座席の指定（確保）を可能にすることができる。
【００３８】
また、以上、本発明の好ましい実施形態について詳述したが、本発明は係る特定の実施形態に限定されるものではなく、特許請求の範囲に記載された本発明の要旨の範囲内において、種々の変形・変更が可能である。
【００３９】
例えば、上述した実施形態では、ＩＣカード４を用いて説明を行ったが、このことは上述した実施形態を制限するものではなく、例えば、ＩＣカードの機能を有する携帯電話装置等であってもよい。なお、この場合、上述したＩＣカード４を識別する識別情報は、例えば携帯電話装置（又は携帯電話装置のＩＣカードの機能に係るＩＣチップ）を識別する識別情報となる。また、上述した各実施形態は、任意に組み合わせて実施してもよい。
【図面の簡単な説明】
【００４０】
【図１】実施形態１に係る座席システムのシステム構成の一例を示す図である。
【図２】表示装置１３の表示の遷移例を示す図である。
【図３】実施形態２に係る座席システムのシステム構成の一例を示す図である。
【図４】実施形態３に係る座席システムのシステム構成の一例を示す図である。
【図５】実施形態４に係る座席システムのシステム構成の一例を示す図である。
【符号の説明】
【００４１】
１    情報送信装置
２    ＰＤＡ２
３    券売機
４    ＩＣカード
１０  制御装置
１１  アンテナ
１２  Ｒ／Ｗ
１３  表示装置
２０  制御装置
３０  Ｒ／Ｗ
４０  情報送信装置
【図１】
2008210260.tif 000003
【図２】
2008210260.tif 000004
【図３】
2008210260.tif 000005
【図４】
2008210260.tif 000006
【図５】
2008210260.tif 000007